(57)【要約】【課題】バンド長さの調整操作を容易に行うことができる中留および時計を提供することにある。【解決手段】中留１は、中板２０、外板３０、中留本体４を備える。中留本体４は、ボタンユニット６０と、中留カバーと、スライド板５０とを備える。ボタンユニット６０は、ユニット枠８０と、第１係合部材７１、第２係合部材と、バネと、第１係合部材７１、第２係合部材をスライド板５０に近づく方向に付勢する付勢部材９０と、第１プッシュボタンと、第２プッシュボタン６２とを備える。スライド板５０は、第１調整用開口部と、第２調整用開口部とを有する。第１係合部材７１は第１係合部と第１係合爪７１６とを備え、第２係合部材は第２係合部と第２係合爪とを備える。【選択図】図１２
2019122745.tif 000002
【特許請求の範囲】
【請求項１】
第１バンドおよび第２バンドを連結する中留であって、
前記第１バンドに連結され且つロックピンが設けられた中板と、前記中板に連結された外板と、中留本体とを備え、
前記中留本体は、
ボタンユニットと、
前記ボタンユニットに取り付けられた中留カバーと、
前記第２バンドに連結され、かつ、前記ボタンユニットおよび前記中留カバー間に配置されて、前記ボタンユニットに対して、前記第２バンドの長手方向である第１方向にスライド移動可能に設けられたスライド板と、を備え、
前記ボタンユニットは、
前記外板に連結され、かつ、前記ロックピンが挿通する挿通孔を備えるユニット枠と、
前記ユニット枠内に配置され、前記第２バンドの幅方向である第２方向に移動可能に設けられた第１係合部材および第２係合部材と、
前記ユニット枠内に配置され、前記第１係合部材および前記第２係合部材を、互いに離間する方向に付勢するバネと、
前記ユニット枠内に配置され、前記第１係合部材および前記第２係合部材を、前記スライド板に近づく方向に付勢する付勢部材と、
前記第１係合部材を前記第２係合部材側に移動可能に設けられた第１プッシュボタンと、
前記第２係合部材を前記第１係合部材側に移動可能に設けられた第２プッシュボタンと、を備え、
前記スライド板は、前記第１方向に沿って複数設けられた第１調整用凹部と、前記第１方向に沿って複数設けられた第２調整用凹部とを有し、
前記第１係合部材は、前記挿通孔に挿通された前記ロックピンと係合する第１係合部と、前記第１調整用凹部に係合可能な第１係合爪とを備え、
前記第２係合部材は、前記挿通孔に挿通された前記ロックピンと係合する第２係合部と、前記第２調整用凹部に係合可能な第２係合爪とを備え、
前記第１係合部および前記第２係合部は、前記第１係合部材および前記第２係合部材が互いに離間する方向に移動した際に前記ロックピンと係合し、前記第１係合部材および前記第２係合部材が互いに近づく方向に移動した際に前記ロックピンとの係合が解除可能とされ、
前記スライド板は、
前記第１係合部および前記第２係合部が、前記ロックピンに係合している状態で、前記第１係合爪および前記第２係合爪が前記スライド板の前記第１調整用凹部および前記第２調整用凹部に係合する係合位置と、
前記第１係合部および前記第２係合部が、前記ロックピンに係合している状態で、前記第１係合爪および前記第２係合爪が前記スライド板の前記第１調整用凹部および前記第２調整用凹部から外れる非係合位置とに移動可能に構成される
ことを特徴とする中留。
【請求項２】
請求項１に記載の中留において、
前記ユニット枠は、前記外板に近づく第３方向、および、前記外板から離れる第４方向に回動可能に前記外板に連結され、
前記ユニット枠が前記第３方向に回動して前記外板に当接した状態では、前記スライド板は前記係合位置に移動され、
前記ユニット枠が前記第４方向に回動して前記外板から離れた状態では、前記スライド板は前記非係合位置に移動される
ことを特徴とする中留。
【請求項３】
請求項２に記載の中留において、
前記中留カバーは、第１貫通孔が形成された第１側壁部と、第２貫通孔が形成された第２側壁部とを備え、
前記第１プッシュボタンは、前記第１貫通孔に挿通された第１操作部を備え、
前記第２プッシュボタンは、前記第２貫通孔に挿通された第２操作部を備え、
前記中留カバーを、前記外板から離れる方向に移動すると、前記第１操作部および前記第２操作部を介して、前記ユニット枠が前記第４方向に回動し、
前記中留カバーを、前記外板に近づく方向に移動すると、前記第１操作部および前記第２操作部を介して、前記ユニット枠が前記第３方向に回動する
ことを特徴とする中留。
【請求項４】
請求項１から請求項３のいずれか一項に記載の中留において、
前記ボタンユニットは、前記第１係合部材と、前記第２係合部材と、前記バネとを収納し、前記第１係合部材および前記第２係合部材を前記第２方向に移動可能に案内する案内枠を備え、
前記案内枠および前記付勢部材は、前記ユニット枠内に配置され、前記付勢部材は、前記案内枠を前記スライド板側に付勢する
ことを特徴とする中留。
【請求項５】
請求項１から請求項３のいずれか一項に記載の中留において、
前記第１係合爪および前記第２係合爪は、前記第１方向において前記第２バンドから離れる方向に向かうにしたがってスライド板側に近づく向きに傾斜された傾斜面部を備え、
前記付勢部材は、前記スライド板が前記係合位置に位置する状態で、前記第１係合部材および前記第２係合部材を、前記第１係合爪および前記第２係合爪が、前記スライド板の前記第１調整用凹部および前記第２調整用凹部から外れる位置から、前記第１調整用凹部および前記第２調整用凹部に係合する位置まで移動可能に付勢し、
前記スライド板は、前記スライド板が前記係合位置に位置する状態で、前記第２バンドから離れる方向にスライド移動した際に、前記スライド板が前記傾斜面部に当接することで、前記第１係合部材および前記第２係合部材を、前記第１係合爪および前記第２係合爪が前記第１調整用凹部および前記第２調整用凹部から外れる位置まで移動する
ことを特徴とする中留。
【請求項６】
請求項１から請求項３のいずれか一項に記載の中留において、
前記スライド板は、前記第１方向に沿って形成された案内溝を有し、
前記ユニット枠は、前記案内溝に配置されて前記スライド板のスライド移動を案内する案内部を有する
ことを特徴とする中留。
【請求項７】
請求項１から請求項６のいずれか一項に記載の中留を備えることを特徴とする時計。
【発明の詳細な説明】
【技術分野】
【０００１】
本発明は、時計バンドや装飾具用バンドなどのバンドに用いられる中留および当該中留を備える時計に関する。
【背景技術】
【０００２】
従来、時計バンドや装身具用バンドに用いられる中留において、バンド長さの微調整手段を備えたものがある（例えば、特許文献１参照）。
特許文献１の中留は、一方のバンドに連結され且つロックピンが設けられた中板と、中板に連結された外板と、外板に連結された中留枠と、中留枠に取り付けられた一対のプッシュボタンと、一対のプッシュボタンを保持するプッシュボタン保持部材とを備えている。
バンド長さの微調整手段は、他方のバンドに連結され、中留枠に対して、バンドの長手方向にスライド可能に設けられたスライド板と、プッシュボタンの操作と連動して、バンドの短手方向に摺動して前記スライド板と係合可能な係合突出部とを備えている。
一対のプッシュボタンは、付勢手段によって互いに遠ざかる方向に付勢された際に、前記係合爪と係合する一対の係合部を備えている。また、この際、一対の係合突出部は、スライド板と係合して、スライド板がスライドすることを規制する。
一方、一対のプッシュボタンを押すと、一対の係合突出部とスライド板との係合が解除され、スライド板を中留枠に対してスライドさせることで、バンド長さを調整できる。また、一対のプッシュボタンを押すと、一対の係合部とロックピンとの係合が解除され、中留のロックが解除される。
【先行技術文献】
【特許文献】
【０００３】
【特許文献１】特開２００２−３２５６０６号公報
【発明の概要】
【発明が解決しようとする課題】
【０００４】
特許文献１の中留は、バンドの長さを調整する際に操作するプッシュボタンと、中留のロックを解除するプッシュボタンとが同一であるため、バンドの長さを調整しようとしてプッシュボタンを押した際に、予期せずにロックが解除されてしまい、時計が手首から外れて落下してしまう可能性がある。
また、中留のロックを解除するためにプッシュボタンを押した際に、意図せずにバンドの長さも調整されてしまうことがあり、この場合は、再度、バンド長さを調整する必要がある。
このため、特許文献１の中留は、バンドの長さを調整する操作が難しいという課題がある。
【０００５】
本発明の目的は、バンド長さの調整操作を容易に行うことができる中留および時計を提供することにある。
【課題を解決するための手段】
【０００６】
本発明は、第１バンドおよび第２バンドを連結する中留であって、前記第１バンドに連結され且つロックピンが設けられた中板と、前記中板に連結された外板と、中留本体とを備え、前記中留本体は、ボタンユニットと、前記ボタンユニットに取り付けられた中留カバーと、前記第２バンドに連結され、かつ、前記ボタンユニットおよび前記中留カバー間に配置されて、前記ボタンユニットに対して、前記第２バンドの長手方向である第１方向にスライド移動可能に設けられたスライド板と、を備え、前記ボタンユニットは、前記外板に連結され、かつ、前記ロックピンが挿通する挿通孔を備えるユニット枠と、前記ユニット枠内に配置され、前記第２バンドの幅方向である第２方向に移動可能に設けられた第１係合部材および第２係合部材と、前記ユニット枠内に配置され、前記第１係合部材および前記第２係合部材を、互いに離間する方向に付勢するバネと、前記ユニット枠内に配置され、前記第１係合部材および前記第２係合部材を、前記スライド板に近づく方向に付勢する付勢部材と、前記第１係合部材を前記第２係合部材側に移動可能に設けられた第１プッシュボタンと、前記第２係合部材を前記第１係合部材側に移動可能に設けられた第２プッシュボタンと、を備え、前記スライド板は、前記第１方向に沿って複数設けられた第１調整用凹部と、前記第１方向に沿って複数設けられた第２調整用凹部とを有し、前記第１係合部材は、前記挿通孔に挿通された前記ロックピンと係合する第１係合部と、前記第１調整用凹部に係合可能な第１係合爪とを備え、前記第２係合部材は、前記挿通孔に挿通された前記ロックピンと係合する第２係合部と、前記第２調整用凹部に係合可能な第２係合爪とを備え、前記第１係合部および前記第２係合部は、前記第１係合部材および前記第２係合部材が互いに離間する方向に移動した際に前記ロックピンと係合し、前記第１係合部材および前記第２係合部材が互いに近づく方向に移動した際に前記ロックピンとの係合が解除可能とされ、前記スライド板は、前記第１係合部および前記第２係合部が、前記ロックピンに係合している状態で、前記第１係合爪および前記第２係合爪が前記スライド板の前記第１調整用凹部および前記第２調整用凹部に係合する係合位置と、前記第１係合部および前記第２係合部が、前記ロックピンに係合している状態で、前記第１係合爪および前記第２係合爪が前記スライド板の前記第１調整用凹部および前記第２調整用凹部から外れる非係合位置とに移動可能に構成されることを特徴とする。
【０００７】
本発明によれば、第１プッシュボタンおよび第２プッシュボタンを押して、第１係合部材および第２係合部材を近づけると、第１係合部および第２係合部とロックピンとの係合を解除でき、中留のロックを解除できる。
また、スライド板を係合位置から非係合位置に移動すると、第１係合爪および第２係合爪が、第１調整用凹部および第２調整用凹部から外れるため、スライド板を第１方向に沿ってスライド移動することができ、これによりバンド長さを調整できる。
したがって、中留のロックを解除する操作と、バンド長さを調整する操作が異なるため、バンド長さ調整を行う際に、予期せずにロックが解除されて時計が手首から外れて落下することを確実に防止できる。また、ロックを解除するために、意図せずにバンド長さも調整されることも確実に防止できる。したがって、バンド長さを容易に調整することができる。
【０００８】
本発明の中留において、前記ユニット枠は、前記外板に近づく第３方向、および、前記外板から離れる第４方向に回動可能に前記外板に連結され、前記ユニット枠が前記第３方向に回動して前記外板に当接した状態では、前記スライド板は前記係合位置に移動され、前記ユニット枠が前記第４方向に回動して前記外板から離れた状態では、前記スライド板は前記非係合位置に移動されることが好ましい。
【０００９】
本発明によれば、ユニット枠を回動することで、スライド板を係合位置および非係合位置に移動できるので、スライド板を直接移動させる必要が無く、スライド板を外部に露出させる必要も無いため、中留の意匠性を向上できる。
【００１０】
本発明の中留において、前記中留カバーは、第１貫通孔が形成された第１側壁部と、第２貫通孔が形成された第２側壁部とを備え、前記第１プッシュボタンは、前記第１貫通孔に挿通された第１操作部を備え、前記第２プッシュボタンは、前記第２貫通孔に挿通された第２操作部を備え、前記中留カバーを、前記外板から離れる方向に移動すると、前記第１操作部および前記第２操作部を介して、前記ユニット枠が前記第４方向に回動し、前記中留カバーを、前記外板に近づく方向に移動すると、前記第１操作部および前記第２操作部を介して、前記ユニット枠が前記第３方向に回動することが好ましい。
【００１１】
本発明によれば、中留カバーを外枠から離れる方向に移動すると、ユニット枠が第４方向に回動し、スライド板を非係合位置に移動できる。また、中留カバーを外枠側に押し込むと、ユニット枠が第３方向に回動し、スライド板を係合位置に移動できる。したがって、中留カバーを持ち上げたり、押し込むことで、スライド板を移動できるため、バンド長さの調整作業も容易に行うことができる。また、中留カバーのみを移動すればよく、スライド板やユニット枠を直接移動する必要が無いため、スライド板やユニット枠を中留カバーで被覆して隠すことができ、中留の意匠性を向上できる。
【００１２】
本発明の中留において、前記ボタンユニットは、前記第１係合部材と、前記第２係合部材と、前記バネとを収納し、前記第１係合部材および前記第２係合部材を前記第２方向に移動可能に案内する案内枠を備え、前記案内枠および前記付勢部材は、前記ユニット枠内に配置され、前記付勢部材は、前記案内枠を前記スライド板側に付勢することが好ましい。
【００１３】
本発明によれば、第１係合部材と、第２係合部材と、バネとを案内枠に収納し、この案内枠をユニット枠内に配置しているので、各係合部材やバネを、直接ユニット枠に組み込む場合に比べて、組立性を向上できる。また、付勢部材は、案内枠をスライド板側に付勢しているので、第１係合部材や第２係合部材を直接付勢する場合に比べて、安定して付勢することができる。
【００１４】
本発明の中留において、前記第１係合爪および前記第２係合爪は、前記第１方向において前記第２バンドから離れる方向に向かうにしたがってスライド板側に近づく向きに傾斜された傾斜面部を備え、前記付勢部材は、前記スライド板が前記係合位置に位置する状態で、前記第１係合部材および前記第２係合部材を、前記第１係合爪および前記第２係合爪が、前記スライド板の前記第１調整用凹部および前記第２調整用凹部から外れる位置から、前記第１調整用凹部および前記第２調整用凹部に係合する位置まで移動可能に付勢し、前記スライド板は、前記スライド板が前記係合位置に位置する状態で、前記第２バンドから離れる方向にスライド移動した際に、前記スライド板が前記傾斜面部に当接することで、前記第１係合部材および前記第２係合部材を、前記第１係合爪および前記第２係合爪が前記第１調整用凹部および前記第２調整用凹部から外れる位置まで移動することが好ましい。
【００１５】
本発明によれば、各係合爪の傾斜面部をスライド板に当接させることで、第１係合部材および第２係合部材の各係合爪を、各調整用凹部から外れる位置まで移動することができる。したがって、スライド板を第１バンド側に移動する場合は、スライド板が係合位置に位置する状態でスライド板を移動でき、バンド長さを容易に短くすることができる。
【００１６】
本発明の中留において、前記スライド板は、前記第１方向に沿って形成された案内溝を有し、前記ユニット枠は、前記案内溝に配置されて前記スライド板のスライド移動を案内する案内部を有することが好ましい。
【００１７】
本発明によれば、スライド板の案内溝に、ユニット枠の案内部を配置しているので、ユニット枠に対してスライド板をスムーズに案内してスライド移動させることができる。
【００１８】
本発明の時計は、前述した中留を備えることを特徴とする。
本発明の時計によれば、前述の中留を備えているので、前述のような効果を奏し、バンド長さの調整操作を容易に行うことができ、様々な時計に適用できる。
【図面の簡単な説明】
【００１９】
【図１】本発明に係る実施形態の腕時計を示す正面図。
【図２】実施形態の中折れ部材を開いた状態の中留の斜視図。
【図３】実施形態における中留の分解斜視図。
【図４】実施形態における中折れ部材を折り畳んだ状態の中留本体の平面図。
【図５】実施形態における中留カバーの斜視図。
【図６】実施形態におけるスライド板の斜視図。
【図７】実施形態におけるボタンユニットの分解斜視図。
【図８】実施形態における係合ユニットの要部の分解斜視図。
【図９】実施形態における案内枠の斜視図。
【図１０】実施形態におけるユニット枠の斜視図。
【図１１】実施形態における付勢部材の斜視図。
【図１２】実施形態におけるスライド板が非係合位置にある状態を示す断面図。
【図１３】実施形態におけるスライド板が非係合位置にある状態を示す要部断面図。
【図１４】実施形態におけるスライド板が係合位置にある状態を示す断面図。
【図１５】実施形態におけるスライド板が係合位置にある状態を示す要部断面図。
【発明を実施するための形態】
【００２０】
以下、本発明の実施形態について図面を用いて説明する。
時計としての腕時計１００は、図１に示すように、外装ケース１０と、バンド１１（第１バンド）およびバンド１２（第２バンド）とを備えている。外装ケース１０の６時方向と１２時方向とには、カン１０Ａがそれぞれ一体に設けられている。バンド１１は、６時方向のカン１０Ａに取り付けピンを用いて連結され、バンド１２は、１２時方向のカン１０Ａに取り付けピンを用いて連結される。
バンド１１、１２は、複数のバンド駒９を図示略のピンで連結して構成されている。
そして、各バンド１１、１２の開放端部同士は、図２〜４に示す中留１によって締結されている。
【００２１】
図２は、中折れ部材２を開いた状態の中留１の斜視図であり、図３は、中留１の分解斜視図であり、図４は、中折れ部材２を折り畳んだ状態の中留１を表面側から見た平面図である。なお、図４では、中留カバー４０の図示は省略している。
さらに、図５は、中留カバー４０の斜視図であり、図６は、スライド板５０の斜視図であり、図７は、ボタンユニット６０の分解斜視図であり、図８は、係合ユニット７０の要部の分解斜視図であり、図９は、案内枠７７の斜視図であり、図１０は、ユニット枠８０の斜視図であり、図１１は、付勢部材９０の斜視図である。
なお、以下の説明において、Ｘ軸は、第２バンド１２の長手方向に沿った軸である。Ｙ軸は、第２バンド１２の幅方向に沿った軸であり、Ｘ軸に直交する。Ｚ軸は、Ｘ軸およびＹ軸に直交する軸である。Ｘ軸において、中留本体４から第１バンド１１に向かう方向をＸ１方向とし、中留本体４から第２バンド１２に向かう方向をＸ２方向とする。Ｙ軸において、後述する第１プッシュボタン６１の第１操作部６１１が中留カバー４０から突出する方向をＹ１方向とし、第２プッシュボタン６２の第２操作部６２１が中留カバー４０から突出する方向をＹ２方向とする。Ｚ軸において、中留カバー４０が中折れ部材２から離れる方向をＺ１方向とし、中留カバー４０が中折れ部材２に近づく方向をＺ２方向とする。
【００２２】
中留１は、図２に示すように、中折れ部材２と、中留本体４とを備えている。
［中折れ部材の構成］
中折れ部材２は、中板２０と、外板３０とを備えている。
中板２０の一方の端部は、バンド１１に連結ピン１３によって回動可能に連結されている。中板２０の他方の端部は、外板３０の一方の端部と連結ピン１４によって回動可能に連結されている。
また、中板２０には、表面側に突出したロックピン２１が設けられている。ロックピン２１は、中板２０から突出した軸部２２と、軸部２２の先端に設けられた傘部２３とを備えている。
外板３０には、前記ロックピン２１が挿通される挿通孔３１が形成されている。また、外板３０の他方の端部は、後述するように、連結ピン１５によって中留本体４のユニット枠８０と回動可能に連結されている。
【００２３】
［中留本体の構成］
中留本体４は、図３に示すように、中留カバー４０と、スライド板５０と、ボタンユニット６０とを備えている。
【００２４】
［中留カバーの構成］
中留カバー４０は、図５に示すように、後述するスライド板５０のスライド方向（Ｘ１方向およびＸ２方向）に沿って円弧状に湾曲した板状の表面部４１と、表面部４１における表面側から見てスライド方向と直交する幅方向（Ｙ１方向およびＹ２方向）の外縁から裏面側に突出した第１側壁部４２および第２側壁部４３とを備えている。
第１側壁部４２および第２側壁部４３には、第１貫通孔４４および第２貫通孔４５と、孔４６、４７とが設けられている。第１貫通孔４４は、後述する第１プッシュボタン６１の第１操作部６１１が挿通される。第２貫通孔４５は、後述する第２プッシュボタン６２の第２操作部６２１が挿通される。
孔４６、４７は、スライド板５０の位置を確認するための確認窓として利用されるものであり、必ずしも設ける必要は無い。
【００２５】
［スライド板の構成］
スライド板５０は、図３に示すように、中留カバー４０と、ボタンユニット６０との間に配置され、Ｘ軸に沿ってスライド移動可能に設けられている。Ｘ軸に沿った方向は、第２バンド１２の長手方向であり、スライド板５０がスライド移動する方向であるため、本実施形態では、Ｘ軸方向、つまりＸ１方向およびＸ２方向が第１方向である。
スライド板５０は、図６に示すように、板部５１と、板部５１のＹ１方向の外縁の一部から裏面側に突出した突出部５２と、板部５１のＹ２方向の外縁の一部から裏面側に突出した突出部５３とを備えている。
突出部５２、５３には、第２バンド１２（図２参照）と連結するために用いられる連結ピン１６（図２参照）と係合する貫通孔５２Ａ、５３Ａが設けられている。
板部５１は、板部５１の幅方向（Ｙ軸方向）の中心位置であり、かつ、スライド方向（Ｚ軸方向）に長く形成された案内溝５５を備えている。
板部５１には、バンド長さ調整に用いられる第１調整用凹部である第１調整用開口部５６と、第２調整用凹部である第２調整用開口部５７とが形成されている。第１調整用開口部５６は、案内溝５５のＹ１方向側においてＸ軸に沿って形成され、３個の第１調整用開口部５６Ａ、５６Ｂ、５６Ｃを備えている。第２調整用開口部５７は、案内溝５５のＹ２方向側においてＸ軸に沿って形成され、３個の第２調整用開口部５７Ａ、５７Ｂ、５７Ｃの備えている。このため、案内溝５５は、Ｙ軸方向において、第１調整用開口部５６と、第２調整用開口部５７との間に形成されている。
【００２６】
図３、４に示すように、第１調整用開口部５６には、後述するボタンユニット６０の第１係合爪７１６が係合し、第２調整用開口部５７には、第２係合爪７２６が係合する。
また、第１調整用開口部５６および第２調整用開口部５７は、Ｙ軸方向の開口寸法が、第１係合爪７１６、第２係合爪７２６のＹ軸方向の幅寸法に比べて大きくされ、後述するように、第１係合部材７１および第２係合部材７２が、第１プッシュボタン６１および第２プッシュボタン６２の操作によってＹ軸方向に移動した際に、その移動に伴う第１係合爪７１６および第２係合爪７２６のＹ軸方向の移動を許容できる寸法に設定されている。
なお、本実施形態では、第１調整用凹部および第２調整用凹部を、スライド板５０を貫通する第１調整用開口部５６、第２調整用開口部５７で構成していたが、スライド板５０を貫通せずに、スライド板５０の裏面に開口し、表面側には開口しない凹部で構成してもよく、第１係合爪７１６、第２係合爪７２６が係合可能な形状であればよい。
【００２７】
［ボタンユニットの構成］
ボタンユニット６０は、図７に示すように、第１プッシュボタン６１と、第２プッシュボタン６２と、係合ユニット７０と、ユニット枠８０と、付勢部材９０とを備える。
【００２８】
［プッシュボタンの構成］
第１プッシュボタン６１および第２プッシュボタン６２は、ユニット枠８０に、Ｙ軸に沿って移動可能に配置される。
第１プッシュボタン６１は、ベースプレート６１０と、ベースプレート６１０からＹ１方向に突設された第１操作部６１１と、ベースプレート６１０のＸ軸方向の両端部からＹ２方向に突出した一対のガイドアーム６１２とを備えている。第１操作部６１１は、中留カバー４０の第１貫通孔４４に挿通されて中留カバー４０の外側に突出する。
第２プッシュボタン６２は、ベースプレート６２０と、ベースプレート６２０からＹ２方向に突設された第２操作部６２１と、ベースプレート６２０のＸ軸方向の両端部からＹ１方向に突出した一対のガイドアーム６２２とを備えている。第２操作部６２１は、中留カバー４０の第２貫通孔４５に挿通されて中留カバー４０の外側に突出する。
【００２９】
［係合ユニットの構成］
係合ユニット７０は、第１係合部材７１と、第２係合部材７２と、バネ７５、７６と、案内枠７７とを備える。
第１係合部材７１および第２係合部材７２は、案内枠７７内にＹ軸方向に移動可能に配置されている。したがって、本実施形態では、Ｙ軸方向、つまりＹ１方向およびＹ２方向が第２方向である。
バネ７５およびバネ７６は、案内枠７７内において、第１係合部材７１と第２係合部材７２との間に配置され、第１係合部材７１および第２係合部材７２を互いに離れる方向に付勢する。具体的には、第１係合部材７１をＹ１方向に付勢し、第２係合部材７２をＹ２方向に付勢する。
第１係合部材７１のＹ１方向の先端部は、図３にも示すように、案内枠７７から突出し、ベースプレート６１０に当接可能とされている。第２係合部材７２のＹ２方向の先端部は、案内枠７７から突出し、ベースプレート６２０に当接可能とされている。
このため、ユーザーが第１プッシュボタン６１をＹ２方向に押し込み、第２プッシュボタン６２をＹ１方向に押し込むと、第１係合部材７１および第２係合部材７２は、バネ７５、７６を縮めて互いに近づく方向に移動する。すなわち、第１係合部材７１はＹ２方向に移動し、第２係合部材７２はＹ１方向に移動する。
【００３０】
［第１係合部材および第２係合部材の構成］
第１係合部材７１は、図８に示すように、第１本体部７１０と、第１係合部７１５と、第１本体部７１０および第１係合部７１５を連結する第１連結部７１４とを備える。
第１本体部７１０は、ベース部７１１と、ベース部７１１のＸ１方向の端部からＹ１方向に突出された当接部７１２と、ベース部７１１のＸ２方向の端部からＹ１方向に突出された当接部７１３と、ベース部７１１からＺ１方向に突出された第１係合爪７１６とを備える。
第１連結部７１４は、ベース部７１１のＸ２方向の端部からＹ２方向に延長されている。第１係合部７１５は、第１連結部７１４のＹ２方向の先端部からＸ１方向に突出して設けられている。
【００３１】
第２係合部材７２は、図８に示すように、第１係合部材７１と同一部品で構成されている。このため、第２係合部材７２は、第１係合部材７１と同様に、第２本体部７２０と、第２係合部７２５と、第２本体部７２０および第２係合部７２５を連結する第２連結部７２４とを備える。
第２本体部７２０は、ベース部７２１と、ベース部７２１のＸ２方向の端部からＹ２方向に突出された当接部７２２と、ベース部７２１のＸ１方向の端部からＹ２方向に突出された当接部７２３と、ベース部７２１からＺ１方向に突出された第２係合爪７２６とを備える。
第２連結部７２４は、ベース部７２１のＸ１方向の端部からＹ１方向に延長されている。第２係合部７２５は、第２連結部７２４のＹ１方向の先端部からＸ２方向に突出して設けられている。
【００３２】
第１係合爪７１６、第２係合爪７２６は、平面部７１７、７２７と、傾斜面部７１８、７２８と、係止面部７１９、７２９とを備えている。
平面部７１７、７２７は、ベース部７１１、７２１よりも一段高くされ、かつ、ベース部７１１、７２１の上面（スライド板５０側の面）と平行な面である。傾斜面部７１８、７２８は、平面部７１７、７１７から連続して形成され、Ｘ１方向に向かって上向き（Ｚ１方向）に傾斜されている。係止面部７１９、７２９は、傾斜面部７１８、７２８の上端面からＺ２方向に沿ってベース部７１１、７２１の上面まで連続する面である。
【００３３】
当接部７１２、７２２と、第１連結部７１４、第２連結部７２４とには、互いに対向するバネ受け面７１２Ａ、７２２Ａと、バネ受け面７１４Ａ、７２４Ａとが設けられている。
そして、第１係合部材７１および第２係合部材７２は、図７に示すように、第１係合部７１５が第２本体部７２０および第２係合部７２５の間に配置され、第２係合部７２５が第１本体部７１０および第１係合部７１５の間に配置されるように組み合わされる。次に、バネ受け面７１２Ａおよびバネ受け面７２４Ａとの間にバネ７５が配置され、バネ受け面７２２Ａおよびバネ受け面７１４Ａとの間にバネ７６が配置される。
【００３４】
第１係合部材７１の第１係合部７１５のＸ１方向の端面は、第２係合部材７２の第２連結部７２４に接触し、第２係合部材７２の第２係合部７２５のＸ２方向の端面は、第１係合部材７１の第１連結部７１４に接触している。
さらに、第１係合部７１５および第２係合部７２５には、互いに対向する対向面７１５Ａ、７２５Ａが形成されている。対向面７１５Ａ、７２５Ａは、上半分はＹ軸方向と直交する平面であり、下半分はＺ２方向に向かうに従って互いに離れる方向に傾斜された傾斜面である。
【００３５】
バネ７５およびバネ７６は、一般的なコイルバネであり、図７に示すように、第１係合部材７１および第２係合部材７２を互いに離間する方向に付勢する。すなわち、バネ７５、７６は、第１係合部材７１をＹ１方向に付勢し、第２係合部材７２をＹ２方向に付勢する。第１係合部材７１および第２係合部材７２が互いに離間する方向に移動すると、第１係合部７１５および第２係合部７２５は互いに近づく方向に移動する。この際、第１係合部７１５および第２係合部７２５は、対向面７１５Ａ、７２５Ａの間にロックピン２１が配置されていれば、ロックピン２１に係合可能とされている。
また、第１プッシュボタン６１の第１操作部６１１および第２プッシュボタン６２の第２操作部６２１がユーザーによって押されると、第１係合部材７１および第２係合部材７２はＹ軸方向において互いに近づく方向に移動し、第１係合部７１５および第２係合部７２５は互いに遠ざかる方向に移動する。この際、第１係合部７１５および第２係合部７２５は、ロックピン２１に係合していた場合は、対向面７１５Ａ、７２５Ａがロックピン２１から離れるため、ロックピン２１との係合を解除可能とされている。
【００３６】
［案内枠の構成］
案内枠７７は、図９に示すように、Ｙ１方向およびＹ２方向に開口を備えた筒状に形成されており、底面部７７１と、側面部７７２、７７３と、表面部７７４、７７５とを備えている。
底面部７７１は矩形状に形成され、ロックピン２１が挿通される挿通孔７７６と、後述する付勢部材９０の係止部９２、９３が挿通される挿通孔７７７、７７８が形成されている。
側面部７７２、７７３は、底面部７７１のＸ１方向およびＸ２方向の外縁から表面側に突出して形成されている。
表面部７７４、７７５は、側面部７７２、７７３の先端からＸ２方向およびＸ１方向に延出している。表面部７７４と表面部７７５との間隔は、第１係合爪７１６、第２係合爪７２６のＸ軸方向の幅寸法よりも大きくされている。また、表面部７７４および表面部７７５には、挿通孔７７６に合わせて形成された凹部７７９が形成されている。
【００３７】
図３に示すように、第１係合部材７１、第２係合部材７２を、案内枠７７の側面開口から挿入した際に、第１係合爪７１６、第２係合爪７２６は、表面部７７４および表面部７７５間の隙間から案内枠７７の表面側に突出するように構成されている。
案内枠７７の側面部７７２、７７３は、第１係合部材７１、第２係合部材７２をＹ軸方向に沿って移動可能に案内する。案内枠７７の底面部７７１および表面部７７４、７７５は、第１係合部材７１、第２係合部材７２が、案内枠７７に対してＺ軸方向に移動することを規制する。このため、案内枠７７は、第１係合部材７１および第２係合部材７２を、Ｙ軸方向にのみ移動可能に案内する。
【００３８】
［ユニット枠の構成］
ユニット枠８０は、図１０に示すように、Ｙ１方向およびＹ２方向に開口を備えた筒状に形成され、底面部８１と、側面部８２、８３と、保持片部８４、８５と、案内部８６、８７と、連結片部８８とを備えている。
底面部８１は矩形状に形成され、ロックピン２１が挿通される挿通孔８１１が形成されている。
側面部８２、８３は、底面部８１のＸ１方向およびＸ２方向の外縁から表面側に突出して形成されている。
保持片部８４、８５は、Ｙ軸方向において案内部８６、８７を挟んで一対ずつ設けられており、側面部８２、８３の上端側をＸ２方向およびＸ１方向に折り返して形成されている。保持片部８４、８５の延出寸法は、保持片部８４と保持片部８５との間に、案内枠７７が配置可能な寸法に設定されている。また、底面部８１と保持片部８４との間や、底面部８１と保持片部８５との間は、第１プッシュボタン６１、第２プッシュボタン６２のガイドアーム６１２、６２２を配置してプッシュボタン６１、６２をＹ軸方向に案内可能とされている。
【００３９】
案内部８６、８７は、側面部８２、８３のＹ軸方向の中間部に設けられ、保持片部８６１、８７１と、立上り片部８６２、８７２と、カバー部８６３、８７３とを備える。
保持片部８６１、８７１は、保持片部８４、８５と同じ高さ位置および延出寸法で形成されている。
立上り片部８６２、８７２は、保持片部８６１、８７１の先端からＺ１方向に延出されている。このため、保持片部８６１および立上り片部８６２と、保持片部８７１および立上り片部８７２との間には、保持片部８４および保持片部８５間と同様に、案内枠７７を配置可能とされている。
カバー部８６３、８７３は、立上り片部８６２、８７２の上端から互いに近づく方向に延出されている。また、カバー部８６３、８７３には、挿通凹部８６４、８７４が形成され、これらの挿通凹部８６４、８７４により、挿通孔８１１に対応する挿通孔が形成されている。カバー部８６３、８７３は、案内枠７７の上面に当接して、付勢部材９０でＺ１方向に付勢された案内枠７７のＺ１方向への移動を規制している。また、カバー部８６３、８７３のＹ軸方向の幅寸法は、スライド板５０の案内溝５５のＹ軸方向の幅寸法に対応して設定されている。これにより、カバー部８６３、８７３は、案内溝５５内に挿入されて案内溝５５をガイドし、スライド板５０のＸ軸方向の移動を案内する。
なお、本実施形態では、カバー部８６３、８７３の先端同士は当接しているが、カバー部８６３、８７３の先端同士は離れていてもよく、案内枠７７の上面に当接して移動を規制し、かつ、スライド板５０の移動を案内できればよい。
【００４０】
［付勢部材の構成］
付勢部材９０は、図１１に示すように、プレート本体９１と、係止部９２、９３と、支持部９４、９５と、板バネ部９６、９７と、挿通孔９８とを備えている。
プレート本体９１は、バネ性を有する材料からなる略平板状のプレートである。
係止部９２、９３は、プレート本体９１から切り起こされてＺ１方向に突出しており、その上端はプレート本体９１の外側（Ｙ１方向、Ｙ２方向）に折曲されて係止突起９２Ａ、９３Ａとされている。係止部９２、９３は、案内枠７７の挿通孔７７７、７７８に挿入され、係止突起９２Ａ、９３Ａは挿通孔７７７、７７８に係止される。
支持部９４、９５は、プレート本体９１の表面から僅かに突出して設けられ、付勢部材９０に対して案内枠７７が相対的にＺ２方向に移動した際に、案内枠７７の下面に当接してＺ２方向の移動を規制する。
板バネ部９６は、支持部９４を挟んで一対設けられ、板バネ部９７は、支持部９５を挟んで一対設けられている。
各板バネ部９６、９７は、プレート本体９１から斜め上方に切り起こされ、案内枠７７の底面部７７１の下面に当接可能に構成されている。
挿通孔９８は、ユニット枠８０の挿通孔８１１に対応して、プレート本体９１の平面中心位置に形成されている。すなわち、挿通孔９８は、挿通孔８１１と同様の形状で、かつ、挿通孔８１１よりも一回り大きなサイズで形成されている。
【００４１】
［中留本体の組立手順］
次に、中留本体４の組立手順について、図７を参照して説明する。
まず、案内枠７７内に、係合部材７１、７２、バネ７５、７６を組み込み、さらに、付勢部材９０の係止部９２、９３を、案内枠７７の挿通孔７７７、７７８に挿入する。この際、係合部材７１、７２は、バネ７５、７６によって互いに離れる方向に付勢されるが、係合部７１５、７２５が互いに当接するため、互いに外れることがない。
また、案内枠７７内において、挿通孔７７７、７７８から突出する係止部９２、９３間に、係合部材７１、７２が配置されるため、係合部材７１、７２が案内枠７７から外れることも防止できる。
さらに、案内枠７７は板バネ部９６、９７で付勢部材９０から離れる方向に付勢されるが、係止突起９２Ａ、９３Ａが挿通孔７７７、７７８の周囲の底面部７７１に当接するため、係合ユニット７０の案内枠７７が付勢部材９０から外れることも防止できる。
したがって、係合部材７１、７２、バネ７５、７６、案内枠７７からなる係合ユニット７０と、付勢部材９０とを組み合わせて一体化できる。
【００４２】
次に、一体化した係合ユニット７０、付勢部材９０を、ユニット枠８０内に挿入する。また、プッシュボタン６１、６２をユニット枠８０内に挿入する。なお、プッシュボタン６１、６２は、係合ユニット７０および付勢部材９０とともにユニット枠８０内に挿入してもよいし、係合ユニット７０および付勢部材９０をユニット枠８０内に挿入した後に挿入してもよい。
次に、ユニット枠８０の連結片部８８と、外板３０とを、連結ピン１５を用いて連結する。なお、先にユニット枠８０を外板３０に連結してから、係合ユニット７０、付勢部材９０、プッシュボタン６１、６２等をユニット枠８０内にセットしてもよい。
【００４３】
次に、スライド板５０を中留本体４の上面にセットする。この際、スライド板５０の案内溝５５に、ユニット枠８０の案内部８６、８７を配置し、係合爪７１６、７２６を、調整用開口部５６、５７のいずれかの開口に配置する。
次に、プッシュボタン６１、６２をユニット枠８０内に押し込みながら、スライド板５０の上方からユニット枠８０まで中留カバー４０を組み込む。中留カバー４０の貫通孔４４、４５から、プッシュボタン６１、６２の第１操作部６１１、第２操作部６２１が突出する位置まで中留カバー４０を押し込むことで、中留本体４の組立が完了する。
【００４４】
［腕時計の脱着方法］
次に、腕時計１００をユーザーの手首に装着する方法について説明する。
図２に示すように、中留１のロックを解除した状態で、バンド１１、１２に手首を通し、外板３０を中板２０側に折り畳む。これにより、中板２０のロックピン２１が、ユニット枠８０の挿通孔８１１と、付勢部材９０の挿通孔９８と、案内枠７７の挿通孔７７６とを通して、第１係合部７１５、第２係合部７２５の対向面７１５Ａ、７２５Ａの間に挿通される。ロックピン２１の上端は円錐台形状の傘部２３とされ、傘部２３の上底の直径は、傘部２３の下底の直径よりも小さい。また、前記対向面７１５Ａ、７２５Ａの下側は互いに離れる方向に傾斜された傾斜面とされている。そして、各傾斜面の下端間の寸法は、傘部２３の上底の直径よりも大きくされ、各傾斜面の上端間の寸法は傘部２３の下底の直径よりも小さくされている。このため、傘部２３が対向面７１５Ａ、７２５Ａの間に挿入すると、傘部２３の側面が対向面７１５Ａ、７２５Ａの傾斜面に当接し、対向面７１５Ａ、７２５Ａを押し広げる。さらに、中留本体４を中板２０側に押し込むと、ロックピン２１の傘部２３が対向面７１５Ａ、７２５Ａから外れ、対向面７１５Ａ、７２５Ａの間に軸部２２が配置される。このため、傘部２３で押し広げられていた対向面７１５Ａ、７２５Ａは、バネ７５、７６の付勢力によって互いに近づく方向に移動する。これにより、ロックピン２１の軸部２２に、第１係合部７１５および第２係合部７２５の対向面７１５Ａ、７２５Ａが接触し、ロックピン２１の傘部２３が、係合部７１５、７２５の表面に当接して係合する。このようにして、腕時計１００を手首に装着できる。
【００４５】
次に、腕時計１００を手首から取り外す方法について説明する。
腕時計１００を取り外す場合は、第１プッシュボタン６１および第２プッシュボタン６２を押して、係合部７１５、７２５の対向面７１５Ａ、７２５Ａを互いに遠ざかる方向に移動させた状態で、折り畳まれた中板２０および外板３０を開く。これにより、ロックピン２１の傘部２３が、係合部７１５、７２５の対向面７１５Ａ、７２５Ａの間を通過し、中留本体４の挿通孔７７６、９８、８１１から引き抜かれる。このようにして、腕時計１００を手首から取り外すことができる。
【００４６】
［バンド長さの調整方法］
次に、バンド長さを調整する方法について説明する。バンド長さを調整する方法として、バンド長さを長くしたり、短くすることができる第１の調整方法と、バンド長さを短くすることのみができる第２の調整方法がある。
【００４７】
［第１の調整方法］
第１の調整方法を図１２〜１５をも参照して説明する。なお、図１２〜１５では、スライド板５０を露出させるため、中留カバー４０を省略している。
第１の調整方法は、まず、中留カバー４０を外板３０から離れる方向（Ｚ１方向）に持ち上げる。ユーザーが中留カバー４０を指でつまんで外板３０から離れるように、Ｚ１方向に持ち上げると、図１２に示すように、プッシュボタン６１、６２の第１操作部６１１、第２操作部６２１が中留カバー４０の第１貫通孔４４、第２貫通孔４５に挿通されているため、ユニット枠８０と外板３０とを連結する連結ピン１５を回転中心として、中留本体４も外板３０から離れる第４方向（Ｒ１方向）に回転する。
ユニット枠８０が外板３０から離れる方向に回転すると、スライド板５０の下面にユニット枠８０の保持片部８５が当接するため、スライド板５０もユニット枠８０の回転に連動して、外板３０から離れるＺ１方向に移動する。
【００４８】
図１３に示すように、ボタンユニット６０は、ロックピン２１に係合部７１５、７２５が係合し、かつ、板バネ部９６、９７で上方に付勢されているため、係合部７１５、７２５がロックピン２１の傘部２３の下面に当接する位置に維持される。よって、第１係合爪７１６、第２係合爪７２６の高さ位置もほぼ変わらない。このため、スライド板５０がＺ１方向に移動すると、スライド板５０の調整用開口部５６、５７は、係合部７１５、７２５から外れ、スライド板５０はＸ１方向およびＸ２方向の両方向に移動可能な状態となる。したがって、スライド板５０が連結されているバンド１２をバンド１１側（Ｘ１方向側）に押し込めばバンド長さを短くでき、バンド１２を反対方向（Ｘ２方向）に引き出せばバンド長さを長くできる。なお、本実施形態では、係合爪７１６、７２６が係合する調整用開口部５６、５７として、それぞれ３個の調整用開口部５６Ａ〜５６Ｃ、５７Ａ〜５７Ｃが設けられているため、バンド長さを３段階に調整できる。
【００４９】
バンド長さの調整後、中留カバー４０を外板３０側に押し下げると、図１４および図１５に示すように、ユニット枠８０が外板３０に近づく第３方向（Ｒ２方向）に回動して外板３０に当接し、中留本体４の係合爪７１６、７２６が、スライド板５０の調整用開口部５６、５７に係合する。
係合爪７１６、７２６が調整用開口部５６、５７に係合している状態では、係止面部７１９、７２９が調整用開口部５６、５７に当接するため、スライド板５０をＸ２方向に移動すること、つまりバンド長さを長くすることはできない。例えば、図１４、１５では、係合爪７１６、７２６が、調整用開口部５６Ａ、５７Ａに係合しているため、スライド板５０をＸ２方向に移動することができない。
図１４、１５の状態から、バンド長さを長くする場合は、再度、中留カバー４０を持ち上げて、調整用開口部５６、５７から係合爪７１６、７２６を外し、バンド１２をバンド１１から離れる方向に引き出してスライド板５０をＸ２方向に移動すればよい。
【００５０】
［第２の調整方法］
第２の調整方法は、バンド長さを短くすることしかできないが、中留カバー４０を持ち上げる必要が無いものである。すなわち、係合爪７１６、７２６の傾斜面部７１８、７２８がＸ１方向に上向きに傾斜されており、かつ、係合ユニット７０が板バネ部９６、９７で上方に付勢されている構造を利用したものである。
例えば、係合爪７１６、７２６が調整用開口部５６Ｃ、５７Ｃに係合している状態で、スライド板５０をＸ１方向に移動すると、スライド板５０の調整用開口部５６Ｃ、５７Ｃのバンド１２側の面が傾斜面部７１８、７２８に当接する。このため、スライド板５０の移動に伴い、係合爪７１６、７２６はＺ２方向に押され、係合ユニット７０は付勢部材９０側に押される。このため、係合爪７１６、７２６が調整用開口部５６Ｃ、５７Ｃから外れる。スライド板５０をＸ１方向にさらに移動し、係合爪７１６、７２６が次の調整用開口部５６Ｂ、５７Ｂの位置に達すると、付勢部材９０の板バネ部９６、９７によって係合ユニット７０がＺ１方向に移動し、係合爪７１６、７２６が調整用開口部５６Ｂ、５７Ｂに係合する。これにより、バンド長さを１段階短くできる。
さらに、スライド板５０をＸ１方向に移動すると、同様の動作で係合爪７１６、７２６は調整用開口部５６Ａ、５７Ａに係合し、バンド長さをさらに１段階短くできる。
したがって、第２の調整方法によれば、中留カバー４０を持ち上げずに、バンド長さを短く調整できる。
【００５１】
［実施形態の作用効果］
本実施形態によれば、中留１のロックを解除する場合は、プッシュボタン６１、６２を操作するのに対し、バンド長さを調整する場合は、中留カバー４０を引き上げてスライド板５０を移動させる。このため、バンド長さ調整を行う際に、予期せずにロックが解除されて時計が手首から外れて落下することを確実に防止できる。また、ロックを解除するために、意図せずにバンド長さも調整されることも確実に防止できる。したがって、バンド長さを容易に調整することができる。
さらに、ロック解除時に操作するプッシュボタン６１、６２ではなく、中留カバー４０を持ち上げてバンド長さを調整するため、ユーザーは、バンド長さを調整する操作を理解し易く、この点でも容易に操作できる。
【００５２】
中留カバー４０を持ち上げた際に、中留１のロックを行うロックピン２１および第１係合部材７１、第２係合部材７２とで、係合ユニット７０の移動を規制しているので、スライド板５０の調整用開口部５６、５７を、係合爪７１６、７２６から確実に外すことができるとともに、中留１のロック用の機構を一部兼用しているので、部品数の増加を抑制でき、中留本体４の小型化および低コスト化を実現できる。
【００５３】
付勢部材９０をユニット枠８０内に組み込んで、係合ユニット７０を付勢しているので、中留１がロックされている状態では、係合ユニット７０の係合部７１５、７２５がロックピン２１の傘部２３に当接する状態に維持できる。すなわち、中留カバー４０を引き上げて、第１操作部６１１、第２操作部６２１を介してユニット枠８０もＲ１方向に回動した際には、板バネ部９６、９７が変形することで、係合ユニット７０に対してユニット枠８０を相対的に移動することができる。これにより、ユニット枠８０でスライド板５０を移動することができ、係合ユニット７０の位置は、ロックピン２１によって機械的に設定でき、スライド板５０の位置はユニット枠８０によって機械的に設定できるので、中留カバー４０を引き上げた際に、係合爪７１６、７２６を確実に調整用開口部５６、５７から外すことができる。したがって、バンド長さの調整を、安定して確実に実行できる。
【００５４】
バンド長さを調整する方法として、中留カバー４０を引き上げて行う第１の調整方法の他に、中留カバー４０を引き上げずにスライド板５０をＸ１方向に移動する第２の調整方法を実現できる構成としたので、バンド長さを短くする調整をさらに容易に行うことができる。このため、ユーザーは、バンド長さを最も長くなる設定とした状態で、中留１をロックして手首に腕時計１００を装着してから、バンド１２をＸ１方向に押し込むことで、バンド長さを短くすることができ、適切な長さに容易に調整できる。
【００５５】
案内枠７７内に、第１係合部材７１、第２係合部材７２、バネ７５、７６を組み込んで係合ユニット７０としているため、案内枠７７を設けずに、ユニット枠８０内に直接、第１係合部材７１や第２係合部材７２を組み込む場合に比べて、ボタンユニット６０を容易に組み立てることができる。
さらに、第１係合部材７１や第２係合部材７２を付勢部材９０で直接付勢する場合に比べて、案内枠７７を介して係合ユニット７０として付勢できるため、第１係合部材７１、第２係合部材７２を安定して付勢することができ、係合爪７１６、７２６も同じ高さ位置に安定して設定できる。
【００５６】
［他の実施形態］
なお、本発明は前述の実施形態に限定されるものではなく、本発明の目的を達成できる範囲での変形、改良等は本発明に含まれるものである。
【００５７】
前記実施形態では、第１係合部材７１、第２係合部材７２、バネ７５、７６を収納する案内枠７７を設けていたが、案内枠７７を設けずに、第１係合部材７１、第２係合部材７２、バネ７５、７６を、ユニット枠８０内に直接組み込んでもよい。
【００５８】
前記実施形態では、第１係合爪７１６、第２係合爪７２６に傾斜面部７１８、７２８を設けていたが、傾斜面部７１８、７２８を無くしてもよい。この場合、前記第２の調整方法を実行できないため、バンド長さを調整する場合には、必ず中留カバー４０を引き上げてスライド板５０を係合位置から非係合位置に移動する必要がある。したがって、前記実施形態のように、傾斜面部７１８、７２８を設けることが好ましい。
【００５９】
前記実施形態では、第１プッシュボタン６１、第２プッシュボタン６２を、第１係合部材７１、第２係合部材７２と別体で構成していたが、一体で構成してもよい。ただし、この場合は、ユニット枠８０や中留カバー４０に対して、第１プッシュボタン６１、第２プッシュボタン６２が相対的に移動できるように構成する必要がある。
このため、中留カバー４０と、ユニット枠８０とを別途連動して移動できるようにしたり、ユニット枠８０やスライド板５０を直接移動できるように構成すればよい。例えば、ユニット枠８０に対して、中留カバー４０を、スライド板５０を挿入可能な隙間を設けてネジ止めなどで固定してもよい。
【００６０】
本発明の中留１は、時計バンドに限らず、例えばブレスレットやネックレスなどの装身具用バンドにも利用できる。
【符号の説明】
【００６１】
１…中留、２…中折れ部材、４…中留本体、９…バンド駒、１１…バンド（第１バンド）、１２…バンド（第２バンド）、２０…中板、２１…ロックピン、２３…傘部、３０…外板、３１…挿通孔、４０…中留カバー、４２…第１側壁部、４３…第２側壁部、４４…貫通孔（第１貫通孔）、４５…貫通孔（第２貫通孔）、５０…スライド板、５５…案内溝、５６、５６Ａ、５６Ｂ、５６Ｃ…調整用開口部（第１調整用開口部）、５７、５７Ａ、５７Ｂ、５７Ｃ…調整用開口部（第２調整用開口部）、６０…ボタンユニット、６１…プッシュボタン（第１プッシュボタン）、６２…プッシュボタン（第２プッシュボタン）、７０…係合ユニット、７１…係合部材（第１係合部材）、７２…係合部材（第２係合部材）、７５、７６…バネ、７７…案内枠、８０…ユニット枠、８４、８５…保持片部、８６、８７…案内部、９０…付勢部材、９２、９３…係止部、９２Ａ、９３Ａ…係止突起、９６、９７…板バネ部、９８…挿通孔、１００…腕時計（時計）、６１１…第１操作部、６２１…第２操作部、７１０…第１本体部、７１１…ベース部、７１２…当接部、７１２Ａ…バネ受け面、７１３…当接部、７１４…第１連結部、７１４Ａ…バネ受け面、７１５…係合部（第１係合部）、７１５Ａ…対向面、７１６…係合爪（第１係合爪）、７１８…傾斜面部、７２０…第２本体部、７２１…ベース部、７２２…当接部、７２２Ａ…バネ受け面、７２３…当接部、７２４…第２連結部、７２４Ａ…バネ受け面、７２５…係合部（第２係合部）、７２５Ａ…対向面、７２６…係合爪（第２係合爪）、７２８…傾斜面部、７７６、７７７、７７８…挿通孔、７７９…凹部、８１１…挿通孔。
【図１】
2019122745.tif 000003
【図２】
2019122745.tif 000004
【図３】
2019122745.tif 000005
【図４】
2019122745.tif 000006
【図５】
2019122745.tif 000007
【図６】
2019122745.tif 000008
【図７】
2019122745.tif 000009
【図８】
2019122745.tif 000010
【図９】
2019122745.tif 000011
【図１０】
2019122745.tif 000012
【図１１】
2019122745.tif 000013
【図１２】
2019122745.tif 000014
【図１３】
2019122745.tif 000015
【図１４】
2019122745.tif 000016
【図１５】
2019122745.tif 000017